(57)【要約】【課題】画像形成装置において、Ａ３サイズよりも大きい画像の表裏画像位置調整を行う際、Ａ３以上の主走査読み取りが可能で、表裏同時読取が可能であることが求められるが、表裏の主走査方向に千鳥状にラインセンサを配置すると、ラインセンサを及び制御素子の増加により、コストが大幅に増加してしまう。【解決手段】ラインセンサを表裏で主走査方向にずらして配置し、紙を反転して２度読む構成にすることで、読取り素子が表裏で重なる箇所は同時読取を行うことができ、紙を搬送方向直交する方向に移動させることなくＡ３以上の画像を読み取ることが可能になる。【選択図】図１
2019009573.tif 000002
【特許請求の範囲】
【請求項１】
測定用画像が表裏の第１面、第２面それぞれに形成されたシートを搬送する搬送手段と、
第１のラインセンサと、
前記第１のラインセンサと前記搬送手段の搬送方向に直交する方向において一部が重なり対向するように配置された第２のラインセンサと、を有し、
前記搬送手段に搬送される前記シートを読み取る読取手段と、
前記搬送手段により搬送された前記シートを反転させる反転手段と、
前記搬送手段に前記シートを搬送させ、前記読取手段に前記第１のラインセンサにより前記シートの第１面を、前記第２のラインセンサにより前記シートの第２面を読み取らせ、
前記反転手段に前記シートを反転させ、
前記搬送手段に前記反転された前記シートを再び前記読取手段へ搬送させ、
前記読取手段に前記第１のラインセンサにより前記シートの第２面を、前記第２のラインセンサにより前記シートの第１面を読み取らせる制御手段と、
を有する画像読取装置であって、
前記第１のラインセンサと第２のラインセンサの重なる読取部では前記シートの前記第１面・第２面の同一位置を読み取らせるように調整され、
前記読取手段の前記搬送方向に直交する方向における読取長さは、
前記搬送方向に直交する方向においてＡ３シートの一方のエッジから他方のエッジまでの長さより長いことを特徴とする画像読取装置。
【発明の詳細な説明】
【技術分野】
【０００１】
本発明は、複数の読取画素が主走査方向にライン状に配列されている複数のイメージセンサを、読取画素が主走査方向にて一部が重なり対向するように配列している構成の画像読取装置に関する。
【背景技術】
【０００２】
画像読取に用いる読取画素が主走査方向にライン状に配列されているイメージセンサにおいて、一般的にＡ３サイズ以上の読み取りを行えるものは需要が少なく、ほぼ市場に流通していない。そのため、大判プリンタなどのＡ３以上サイズを扱う印刷装置において、画像読取を行う手段として複数のイメージセンサを主走査方向に千鳥状に配置するという構成は既知の手段であり、読取精度向上のため様々な手法が考案されている。
【０００３】
特許文献１には、複数個のイメージセンサが互いに重なり合うように千鳥状に配列された構成の画像読取装置において、光量損失を抑えて光学的に安定させ、良好な読み取りを可能にすることを目的とした手段が考案されている。
【０００４】
これは、複数の読取画素が主走査方向にライン状に配列され、かつ内部に読取対象を照明する光源を具備する複数のイメージセンサを、隣接するイメージセンサの前記読取画素が主走査方向にて複数個互いに重なり合うように千鳥状に配列された画像読取装置において、前記イメージセンサにおける少なくとも前記読取画素が重なり合う部位に、隣接する一方のイメージセンサからの出射光が他方のイメージセンサに光干渉することを防止する干渉防止部材を備えたことを特徴とし、この構成によって、イメージセンサの重なり合う部分における互いの光干渉を防止することにより、照度影響を最小限に抑え、読み取った画像のイメージセンサ繋ぎ部分の濃度差，濃度斑の発生を最小限に抑えるというものである。
【先行技術文献】
【特許文献】
【０００５】
【特許文献１】特開２００８−０２８８９５号公報
【発明の概要】
【発明が解決しようとする課題】
【０００６】
近年、大判プリンタではない商業印刷向けの画像形成装置においても、Ａ３サイズより大  きい画像が形成可能となっており、付随する画像読取装置で検品や画像自動調整等の機能を実現するためにはＡ３サイズよりも大きい画像読取が必要となる。特に表裏画像位置調整においては、Ａ３サイズ以上の主走査読取が可能であることと、印刷物の表裏同時読取が可能であることが求められる。しかし、参考文献に代表されるような主走査方向に千鳥状に複数のラインセンサを配置する構成では印刷物の表裏同時読取は行えず、表裏の主走査方向に千鳥状にラインセンサを配置すると、ラインセンサを及び制御素子のコストが大幅に増加してしまうという課題がある。
【０００７】
本発明は、上記課題を鑑みてなされたもので、可能な限り低コストで、Ａ３サイズ以上の成果物の読取と、表裏同時読取が可能な画像読取装置を提供することを目的とする。
【課題を解決するための手段】
【０００８】
上記の目的を達成するために、本発明に係る画像読取装置は、
測定用画像が表裏の第１面、第面それぞれに形成されたシートを搬送する搬送手段と、第１のラインセンサと、前記第１のラインセンサと前記搬送手段の搬送方向に直交する方向において一部が重なり対向するように配置された第２のラインセンサとを有し、前記搬送手段に搬送される前記シートを読み取る読取手段と、前記搬送手段により搬送された前記シートを反転させる反転手段と、前記搬送手段に前記シートを搬送させ、前記読取手段に前記第１のラインセンサにより前記シートの第１面を、前記第２のラインセンサにより前記シートの第２面を読み取らせ、前記反転手段に前記シートを反転させ、前記搬送手段に前記反転された前記シートを再び前記読取手段へ搬送させ、前記読取手段に前記第１のラインセンサにより前記シートの第２面を、前記第２のラインセンサにより前記シートの第１面を読み取らせる制御手段と、を有する画像読取装置であって、前記第１のラインセンサと第２のラインセンサの重なる読取部では前記シートの前記第１面・第２面の同一位置を読み取らせるように調整され、前記読取手段の前記搬送方向に直交する方向における読取長さは、前記搬送方向に直交する方向においてＡ３シートの一方のエッジから他方のエッジまでの長さより長いことを特徴とする。
【発明の効果】
【０００９】
本発明によれば、最小限のコストで、Ａ３サイズ以上の成果物の読取と、表裏同時読取が可能な画像読取装置の提供を実現できる。
【図面の簡単な説明】
【００１０】
【図１】本発明を適用した画像読取装置の縦断面図
【図２】本発明を適用した画像読取装置の制御ブロック図
【図３】本発明にイメージセンサ配置の斜視図
【図４】本発明における表裏画像位置調整に用いるチャート及び読取領域
【図５】本発明における表裏画像位置調整のフローチャート
【発明を実施するための形態】
【００１１】
以下、添付図面を参照して本発明の好適な実施例について具体的かつ詳細に説明する。
【実施例】
【００１２】
図１は本発明を適用した画像読取装置の一例を示す断面構成図である。
【００１３】
本実施形態の画像読取装置１００は、付随する画像形成装置１０１により形成された画像を読み取るものである。画像形成装置の具体的な構成や仕組みは公知であり、本発明の画像読取装置に影響を与えるものではないため、説明は省略する。
【００１４】
画像読取装置１００は画像形成装置１０１によって表裏に画像が形成された記録材１０２を搬送するための複数の搬送ローラ１０３を有し、給紙パス１０４を経由して搬送される。そして、前記給紙パス１０４の先には前記記録材１０２上に形成された画像を読み取るためのイメージセンサ１０５ａ、１０５ｂが配置されており、それぞれのイメージセンサは図中矢印のように光源１０６ａ、１０６ｂから前記記録材１０２に光を照射し、その反射光成分の内、読取素子１０７ａ、１０７ｂに入射した光を画像データに光電変換する。前記イメージセンサ１０５ａ、１０５ｂは図１の手前奥方向にずらして配置されており、それぞれ前記記録材１０２の表面の一部領域、裏の一部領域の画像を読み取る。
【００１５】
前記イメージセンサ１０５ａ、１０５ｂの配置斜視図は図３で、前記記録材１０２と読取領域の一例を図４で説明する。
【００１６】
前記画像読取動作の後、予め可動ガイドＡ１０８が図中上側に配置され、前記記録材１０２は搬送ローラ１０３により両面パス１０９に搬送される。そして、可動ガイドＢ１１０の下を通過し、正転・逆転の両方が可能な反転ローラ１１１により反転パス１１２に搬送された後、前記可動ガイドＢ１１０を図中下側に配置し、前記反転ローラ１１１を逆回転させることで前記記録材１０２を表裏反転させ、回帰パス１１３に搬送する。表裏反転した前記記録材１０２は、前記イメージセンサ１０５ａ、１０５ｂにより、一度目の画像読取とは異なる領域の前記記録材１０２の表面の一部領域、裏の一部領域の画像を読み取る。この二度の画像読取により、前記イメージセンサそれぞれの主走査幅以上のサイズの画像データを取得することが可能になる。二度目の画像読取の後、可動ガイドＡ１０８を図中下側に配置下側に配置し、搬送ローラ１０３により排紙パス１１４に前記記録材１０２を搬送する本発明における画像読取装置は、図１のように画像形成装置１０１の排出口経路上に設けられ、成果物の検品を行う検品装置でも、画像形成装置に一般的に付随するイメージスキャナでも、イメージセンサを表裏で主走査方向にずらして複数配置し、読取領域の一部が重なるように配置されている読取系を有する装置であれば形態は問わない。
【００１７】
図２は本装置の制御系の一例を示すブロック図である。
【００１８】
本実施の形態において、画像読取装置は画像読取装置コントローラ２００によって、画像形成装置は画像形成装置コントローラ２０１によって、それぞれ統括的にコントロールしている。
【００１９】
画像読取装置コントローラ２００は、主に画像読取装置の各負荷の駆動、センサ類の情報収集解析、そして画像形成装置コントローラ２０１との交換の役割を担っている。画像読取装置コントローラ２００の内部構成は、上述した役割を担うために、ＣＰＵ２０２搭載しており、ＣＰＵ２０２は、同様に画像読取装置コントローラ２００に搭載したＲＯＭ２０３に格納されたプログラムによって、予め決められた画像読取シーケンスを実行する。加えて、一次的または恒久的に保存することが必要な書換可能なデータを格納するために、ＲＡＭ２０４を搭載している。前記ＲＡＭ２０４には、ラインセンサドライバ２０５ａ、２０５ｂへの読取動作の各種設定値、取得した画像データなどを保存する。
【００２０】
画像読取装置１００は、装置内部の各所に単数或いは複数のモータ、クラッチ／ソレノイド等の各種ＤＣ負荷２０６及び、フォトインタラプタ等の各種センサ２０７を配置している。モータの駆動や各ＤＣ負荷をＤＣ負荷制御部２０８で適宜駆動させることにより、記録材の搬送や各ユニットの駆動を行っており、各種センサでその動作を監視している。画像読取装置コントローラ２００は、各種センサ類２０７からの信号をもとに、各種ＤＣ負荷２０６をＤＣ負荷制御部２０８により適宜駆動させ、画像読取対象を搬送する。所定の画像読取位置に画像読取対象が到達したことを受け、イメージセンサドライバ２０５ａ、２０５ｂによりＬＥＤ等の光源１０５ａ、１０５ｂの光量、点灯を制御して画像読取対象に光を照射し、イメージセンサ１０５ａ、１０５ｂで受講した画像読取対象からの反射光を画像データに変換する。読み取った前記画像データ、または前記画像データから前記ＣＰＵ２０２で演算した補正値を前記画像形成装置コントローラ２０１に送付し、画像形成の位置調整などに用いる。
【００２１】
図３は本発明におけるイメージセンサ配置の一例の斜視図である。
【００２２】
イメージセンサ１０５ａ、１０５ｂの読取素子部１０７ａ、１０７ｂが図中矢印の記録材搬送方向と直交する方向において、一部が重なり対向するように配置されている。重なり対抗する読取部は、図４の表裏画像位置調整において表裏で主走査方向の同一位置の画像を同一位置で読み取る必要があるため、出荷時に予め透明フィルムにパッチ画像を形成したチャートで調整するといった手段により、読取位置調整が行われる。
【００２３】
図４は本発明において表裏画像位置調整に用いるチャートおよび、イメージセンサでの読取領域の一例である。
【００２４】
表裏画像位置調整に用いるチャートは記録材の表裏それぞれに先端左、先端中央、先端右、後端左、後端中央、後端右に測長用のパッチを形成したものである。図１に記載のように、本発明では表裏に画像を形成した記録材に対し、２回の画像読取を行う。１回目の読取動作ではイメージセンサ１０５ａにより、前記チャート表面の先端中央、先端右、後端中央、後端右のパッチを含む領域と、イメージセンサ１０５ｂにより、前記チャート裏面の先端左、先端中央、後端左、後端中央のパッチを含む領域の画像読取を行う。この１回目の読取動作により、表面の画像と用紙右先後端、裏面の画像と用紙左先後端の長さデータ、および中央パッチによる表裏の画像形成位置ずれデータを取得することができる。
【００２５】
次にチャートの表裏を反転し、２回目の読取動作を行う。２回目の読取動作ではイメージセンサ１０５ａにより、前記チャート裏面の先端中央、先端右、後端中央、後端右のパッチを含む領域と、イメージセンサ１０５ｂにより、前記チャート表面の先端左、先端中央、後端左、後端中央のパッチを含む領域の画像読取を行う。この２回目の読取動作により、表面の画像と用紙左先後端、裏面の画像と用紙右先後端の長さデータ、および２回目の中央パッチによる表裏の画像形成位置ずれデータを取得することができる。前記の２回の画像読取動作により、前記記録材の四隅と形成された画像の四隅の長さデータと、表裏の画像位置ずれデータを取得することができ、このデータを画像形成装置コントローラ２０１に送付することで、補正値を算出し、同一面内の用紙に対する画像形成位置、及び表裏の画像形成位置の調整を行う。
【００２６】
図５は表裏画像位置調整のフローチャートの一例である。
【００２７】
画像形成装置コントローラ２０１から表裏画像位置調整の信号を受け、動作を開始する。まず、画像形成装置１０１により調整用チャートが生成される（Ｓ５０１）。チャートが生成される過程については公知であるため省略する。
【００２８】
次に、調整チャートが各搬送ローラ１０３により画像読取装置１００の読取開始位置に来たことを画像読取装置のセンサ２０５で検出すると（Ｓ５０２）、ラインセンサドライバ２０５ａ、２０５ｂを制御し、調整チャートの表面右領域画像データ取得（Ｓ５０３）と、裏面左領域画像データ取得（Ｓ５０４）を行う。
【００２９】
取得した画像データから、表面右領域画像と用紙端の長さ算出（Ｓ５０５）、裏面左領域画像と用紙端の長さ算出（Ｓ５０６）、表裏位置ずれデータ１の算出（Ｓ５０７）を行う。
【００３０】
その後、両面パス１０９を経由し、センサ２０５により反転パス１１２に調整チャートが到着したことを検知する（Ｓ５０８）と、反転ローラ１１１を逆転させてチャートの表裏を反転させ（Ｓ５０９）、回帰パス１１３を経由して画像読取部に紙を搬送する。
【００３１】
そして、反転した調整チャートが読取開始位置に来たことを画像読取装置のセンサ２０５で検出すると（Ｓ５１０）、ラインセンサドライバ２０５ａ、２０５ｂを制御し、調整チャートの表面左領域画像データ取得（Ｓ５１１）と、裏面右領域画像データ取得（Ｓ５１２）を行う。
【００３２】
取得した画像データから、表面左領域画像と用紙端の長さ算出（Ｓ５１３）、裏面右領域画像と用紙端の長さ算出（Ｓ５１４）、表裏位置ずれデータ２の算出（Ｓ５１５）を行う。
【００３３】
その後、調整チャートを排紙パス１１４経由で排出し、ここまで取得した画像と用紙端の長さデータ、表裏位置ずれデータの表裏画像位置調整情報を画像形成装置コントローラに送付（Ｓ５１６）し、画像読取装置の表裏画像位置調整フローは完了する。
【００３４】
そして、画像形成装置側で前記の表裏画像位置調整情報を基に画像形成位置の調整を行う。
【符号の説明】
【００３５】
１００  画像読取装置、１０１  画像形成装置、１０２  記録材、
１０３  搬送ローラ、１０４  給紙パス、１０５  イメージセンサ、
１０６  光源、１０７  読取素子、１０８  可動ガイドＡ、１０９  両面パス、
１１０  可動ガイドＢ、１１１  反転ローラ、１１２  反転パス、
１１３  回帰パス、１１４  排紙パス、２００  画像読取装置コントローラ、
２０１  画像形成装置コントローラ、２０２  ＣＰＵ、２０３  ＲＯＭ、
２０４  ＲＡＭ、２０５  ラインセンサドライバ、２０６  各種ＤＣ負荷、
２０７  各種センサ、２０８  ＤＣ負荷制御部
【図１】
2019009573.tif 000003
【図２】
2019009573.tif 000004
【図３】
2019009573.tif 000005
【図４】
2019009573.tif 000006
【図５】
2019009573.tif 000007